(57)【要約】【課題】  鋼管杭切断機及びガイド治具等のセッティングにあっては鋼管杭杭頭上端より挿入しなければならないのでクレーン等の吊り上げ装置の準備も必要となり非常に不経済だった。【解決の手段】鋼管杭切断位置の印附近サイドよりいれ込む事が出来る様に馬蹄形状になっているテーブルとなる固定フレーム（１）と、その固定フレーム（１）の上に１段階の動きとして正逆回転自在に旋回する旋回フレーム（２）が取付けられ、その旋回フレーム（２）にアタッチメント付チェーン（８）を備え、旋回フレーム（２）に２段階の動きとして鋼管杭（２４）の周りを正逆回転自在に動くように取付けられたトーチ取付フレーム（４）とそのトーチ取付フレーム（４）に取付けられた鋼管杭を切断するトーチ（５）と駆動装置（１０）と該駆動装置（１０）の出力軸に取付けられたスプロケット（９）とを備えている鋼管杭切断機である。【選択図】図１
2013158833.tif 000002
【特許請求の範囲】
【請求項１】
鋼管杭の杭頭不要部を切断する鋼管杭切断機であって、前記鋼管杭の外周に固着する馬蹄形状の開口を有するテーブルとなる固定フレームと、該固定フレームに摺動部材を介して前記鋼管杭の周りを正逆回転自在に動くように載置した馬蹄形状の開口を有する旋回フレームと、該旋回フレームの外周面に固着したアタッチメント付チェーンとを備え、前記旋回フレームに取付けられ、前記鋼管杭の周りを正逆回転自在に動くトーチ取付フレームと、該トーチ取付フレームに取付けられた前記鋼管杭を溶断による切断を行うトーチと、前記トーチ取付フレームに取付けられて、前記旋回フレームの外周面に固着した前記アタッチメント付チェーンに噛合して、前記トーチ取付フレームが前記旋回フレームの外周を正逆回転自在に動くように取付けた駆動装置とを備えてなることを特徴とする鋼管杭切断機。
【請求項２】
上記摺動部材がボールローラーからなることを特徴とする請求項１記載の鋼管杭切断機。
【請求項３】
取手を介して、上記旋回フレームの外周面に固着した上記アタッチメント付チェーンと、前記トーチ取付フレームに摺動自在に動く摺動フレームと該摺動フレームに取付けた駆動装置と該駆動装置の出力軸に取付けたスプロケットの噛み合わせが外れる解除装置を上記トーチ取付フレームに取付けられたことを特徴とする請求項１記載の鋼管杭切断機。
【発明の詳細な説明】
【技術分野】
【０００１】  本発明は、鋼管杭の杭頭を打ち込み方向と直交方向に自動で切断する鋼管杭切断機のセッティングからその鋼管杭切断に関するものである。
【背景技術】
【０００２】  従来の鋼管杭切断機及びそのガイド治具等のセッティングにあっては鋼管杭杭頭上端より挿入し、切断位置の印を目標にセッティングを行うのが一般的であり、そのセッティングに手間が掛かるといった問題があった。
【先行技術文献】
【特許文献】
【０００３】
【特許文献１】特開昭５４−１５８３５７号公報
【発明の開示】
【発明が解決しようとする課題】
【０００３】  しかしながら、上記の鋼管杭切断機、及びそのガイド治具等のセッティングにあっては、鋼管杭杭頭上端より挿入するためにクレーン等の吊り上げ装置の準備も必要となり非常に不経済であった。クレーン等の吊り上げ装置を使わず簡単なセッティングが出来る鋼管杭切断機、及びそのガイド治具等が望まれていた。【０００４】  この発明は、上記のような課題に鑑み、その課題を解決すべく創案されたものであって、その目的とするところはクレーン等の吊り上げ装置を使わず経済効果を上げ、しかもそのセッティングが簡単に出来る利点を要した鋼管杭の切断機を提供することにある。
【課題を解決するための手段】
【０００５】    以上の目的を達成するために、鋼管杭の杭頭不要部を切断する鋼管杭切断機であって、前記鋼管杭の外周に固着する馬蹄形状の開口を有するテーブルとなる固定フレームと、該固定フレームに摺動部材を介して前記鋼管杭の周りを正逆回転自在に動くように載置した馬蹄形状の開口を有する旋回フレームと、該旋回フレームの外周面に固着したアタッチメント付チェーンとを備え、前記旋回フレームに取付けられ、前記鋼管杭の周りを正逆回転自在に動くトーチ取付フレームと、該トーチ取付フレームに取付けられた前記鋼管杭を溶断による切断を行うトーチと、前記トーチ取付フレームに取付けられて、前記旋回フレームの外周面に固着した前記アタッチメント付チェーンに噛合して、前記トーチ取付フレームが前記旋回フレームの外周を正逆回転自在に動くように取付けた駆動装置とを備えてなることを特徴とする鋼管杭切断機で、摺動部材がボールローラーからなり、かつ、取手を介して、上記旋回フレームの外周面に固着した上記アタッチメント付チェーンの噛み合せが外れる解除装置を上記トーチ取付フレームに取付けた。【０００６】  ここで好ましい態様として、摺動部分にはボールローラーが備えられ動きを滑らかにするのがよい。【０００７】    他の好ましい態様として、取手を介して、上記旋回フレームの外周面に固着した上記アタッチメント付チェーンと、前記トーチ取付フレームに摺動自在に動く摺動フレームと該摺動フレームに取付けた駆動装置と該駆動装置の出力軸に取付けたスプロケットの噛み合わせが外れる解除装置を上記トーチ取付フレームに取付けられるのがよい。
【発明の効果】
【０００８】  以上の記載よりこの発明に係る鋼管杭の切断機によれば、鋼管杭の切断位置のサイドから差し込み、セッティングが出来、クレーン等の吊り上げ装置を使わず経済効果を上げ、しかもそのセッティングが簡単に出来るだけでなく、切断精度も上げることが出来る。
【図面の簡単な説明】
【図１】本発明の１実施例を示す鋼管杭切断機の上面図である。
【図２】図１の側面図である。
【図３】図１のＡ−Ａ矢視断面図である。
【図４】図１のＢ−Ｂ矢視断面図である。
【図５】図３のＣ部拡大断面図である。
【図６】図１に図示の鋼管杭切断機が旋回フレームを介して１８０度旋回した時の状況を示す説明図である。
【発明を実施するための形態】
【０００９】  以下、図面に記載の発明の実施の形態に基づいて、この発明をより具体的に説明する。
【００１０】  鋼管杭切断機は、杭頭を打ち込み方向と直交方向に自動で切断する切断機のセティングから、鋼管杭（２４）の切断に関するもので、鋼管杭（２４）に圧接し固定する馬蹄形状のテーブルとなる固定フレーム（１）とその固定フレーム（１）に１段階の動きとして鋼管杭（２４）の周りを正逆回転自在に動くように取付けられる馬蹄形の旋回フレーム（２）に取付けられたアタッチメント付チェーン（８）を備え、前記旋回フレーム（２）と該旋回フレーム（２）に対し、２段階の動きとして鋼管杭の周りを正逆回転自在に動くように取付けられたトーチ取付フレーム（４）とそのトーチ取付フレーム（４）に取付けられた鋼管杭（２４）を溶断による切断を行うトーチ（５）と駆動装置（１０）とその駆動装置（１０）の出力軸に取付けられたスプロケット（９）とを備えてなるものなどから主に構成されている。
【００１１】  鋼管杭（２４）に圧接して固定する台座となる固定フレーム（１）はドーナツ状をカットし、馬蹄形とするプレートのフレーム枠（１ａ）と、そのフレーム枠（１ａ）の下面に四角のプレートであるプレート座（１ｂ）が固着されている。そのプレート座（１ｂ）にはアジャスターボルトが取付けられる様にネジ加工とアジャスターボルトをサポートするためのガイドロッド（１８）を差し込む穴加工が施されている。実施の形態ではプレート座（１ｂ）は４ヶ所で行う。
【００１２】旋回フレーム（２）は単管を上面から見てＣ形にカットした部材外周管（２ａ）と、その内側にドーナツ状をカットし、馬蹄形とするプレートの受部材（２ｂ）が溶接などにより一体的に固説されている。その両部材の取付位置はＣ形と馬蹄形の空いた部分を合せて取付ける。又、両部材の補強とし複数個所に補強材（２ｃ）のプレートが取付けられ変形を防いでいる。
【００１３】  旋回フレーム（２）の外周管は単管を上面から見てＣ形にカットし、外側側面にはアタッチメント付チェーン（８）が取付けられるための穴加工が施されている。又ドーナツ状をカットし、馬蹄形のプレート下面にはローラー溝が山形に加工されている。
【００１４】  鋼管杭（２４）の大きさにより伸縮自在に押えることが出来るアジャスターボルト（３）は、固定フレーム（１）のプレート座（１ｂ）にネジ込まれて取付けられ、固定フレーム（１）を鋼管杭（２４）に圧接し固定するために使用されるもので、ロッド部はネジ加工が施され、その先端側には鋼管杭（２４）を押える四角の押えプレートが取付けられている。他端は正方形の４面加工が施されている。アジャスターボルト（３）は鋼管杭（２４）の中心に向け進退できるようになっていて、複数個の位置に設置し鋼管杭（２４）に圧接させて固定する。
【００１５】  トーチ取付フレーム（４）は、旋回フレーム（２）に対し正逆回転自在に取付けられ長方形のプレートの両端を同方向の内側に折り曲げ、その４角にはローラーが取付けられる穴加工が施されている。プレート中央附近には摺動フレーム（１３）が入れ込まれる４角の穴加工が施されている。片側一方の折り曲げにはトーチを取付けるスタンドが溶接等により固着されている。
【００１６】  摺動フレーム（１３）は長方形のプレートからなり、トーチ取付フレーム（４）に対し摺動自在にズレて、アタッチメント付チェーン（８）とスプロケット（９）との噛み合せが外れ簡単に正逆回転自在にトーチ位置を移動出きる様に構成され、摺動する外周部分はトーチ取付フレーム（４）の４角の穴加工より少し小さくし、摺動が容易に出来る中央附近には駆動装置（１０）にスプロケット（９）が装着され干渉しない様に大きめの穴加工が施されている。又、外周４角にはロッド軸（１２）が装着できる穴加工が施されている。
【００１７】  駆動装置取付フレーム（２２）はコの字形のプレートよりなり摺動フレーム（１３）に取付けられる。中央にはＴ形ハンドル（２０）が取付けられる丸穴加工が１ヶ所施されている。取付時、上側には駆動装置（１０）が取付けられるように４ヶ所の穴加工とその中央附近には駆動装置（１０）の出力軸突き出しの穴加工が施されている。
【００１８】  トーチ（５）は鋼管杭（２４）の中心附近に指向するように取付けられ、ガスと酸素の供給と点火により鋼管杭（２４）の外周面に吹き付け、溶断による切断を行うものである。
【００１９】  ローラー（６）はトーチ取付フレーム（４）の両端を同方向の内側に折り曲げその４角のボルトに取付けられる両側ツバ付のローラーを使用し、ベアリング等を組付けて回転を滑らかにする。
【００２０】  固定ノブ（７）は装置の移動時や鋼管杭（２４）切断時等に固定フレーム（１）と旋回フレーム（２）を固定するためにセットされるもので、円形の頭部の下面の中心にネジ軸が垂直に固設されている。そのネジ軸は旋回フレーム（２）のネジ穴に合わせてその先端側が固定フレーム（１）に挿入されることで固定するようになっている。
【００２１】  アタッチメント付チェーン（８）はスプロケット（９）の軌道を保つために設置を行い、一般に自転車のチェーンに、そのチェーンを固定するためにアタッチメントに穴加工が施されている。
【００２２】  外周を山谷が交互に加工された円盤状のプレートに片側ボスが付き穴加工されているスプロケット（９）は、駆動装置（１０）の出力軸に挿入されセットビスにて取付けられていて、アタッチメント付チェーン（８）の凹部とスプロケット（９）の凸部が噛合い旋回フレーム（２）の外周管（２ａ）に取付けられたアタッチメント付チェーン（８）が軌道をガイドする。
【００２３】  駆動装置（１０）は減速機と電動機が一体化し、旋回フレーム（２）の外周管（２ａ）に沿って自走できるようにする動力源である。その際、切断厚さや切断物の材質等を考慮し、切断スピードを調整する機能付とする。
【００２４】  ボールローラー（１１）は固定フレーム（１）のフレーム枠（１ａ）の上面に取付け、旋回フレーム（２）を受ける様に均等位置に配置され、そのボールローラー（１１）は頭部が円形になっていて、その円形の中央部は球体が突起しており回転自在になっている。球体を支えるネジ軸は固定フレーム（１）のフレーム枠（１ａ）の穴に挿入し、ナットにより締付けて固定する。
【００２５】  ロッド軸（１２）はスプリング（１４）の伸縮ガイドをなし、六角穴付ボルトにネジ部のみをサイズダウンしたボルトとする。スプリング（１４）はコイル状の圧縮コイルバネを使用する。
【００２６】  ロッドＡ（１５）は切断する鋼管杭（２４）の径により伸縮自在に摺動出来るように円筒形状の丸パイプによる。又、ロッドＢ（１６）は鋼管杭（２４）切断高さの調整として伸縮自在に摺動出来る様にし、ロッドＡ（１５）と同様に円筒形状の丸パイプを使用する。
【００２７】  押え金具（１７）は固定フレーム（１）と旋回フレーム（２）の旋回が円滑に行えたり、旋回の軌道を外れないように取付けてあり、その構造はＣ形に加工され、フレーム枠（１ａ）の下周縁に重なるように爪が付いていてその取付は旋回フレーム（２）の受部材（２ｂ）に取付けてある。
【００２８】  ガイドロッド（１８）は先端金具（３ｂ）に取付けられ、その先端金具（３ｂ）の回転を防ぎ鋼管杭を同一面で圧接させるために取付ける円形状の丸鋼からなる。
【００２９】  ホース（１９）はトーチ（５）にガスと酸素を供給するために接続されている。赤いホースはガスホースとし、青いホースは酸素とし２本あり、１本は高圧とし他の１本は低圧とする。
【００３０】  取手（２０）は駆動装置取付けフレーム（２２）に取付けられ、アタッチメント付チェーン（８）の凹部とスプロケット（９）の凸部が噛合せを外すクラッチの役目をする部分である。取手（２０）を外周側に引く事で外しトーチ（５）の位置を自在に変えることが出来る。
【００３１】  サポート板（２１）はロッド軸（１２）を取付サポートする部材で長方形のプレートに４ヶ所の穴加工が施され２ヶ所は取付に他の２ヶ所はロッド軸（１２）を挿入しナットにて締付ける。
【００３２】  流量調整バルブ（２３）はガス及び酸素の流量を調整するバルブとして使用する。
【産業上の利用可能性】
【００３３】  この鋼管杭切断機は鋼管杭の杭頭の不要部分を切除する場合に適用が出来る。
【符号の説明】  １        固定フレーム
１ａ      フレーム枠
１ｂ      プレート座
２        旋回フレーム
２ａ      外周管
２ｂ      受部材
３        アジャスターボルト
３ａ      ネジ棒
３ｂ      先端金具
４        トーチ取付フレーム
５        トーチ
６        ローラー
７        固定ノブ
８        アタッチメント付チェーン
９        スプロケット
１０        駆動装置
１１        ボールローラー（摺動部材）
１２        ロッド軸
１３        摺動フレーム
１４        スプリング
１５        ロッドＡ
１６        ロッドＢ
１７        押え金具
１８        ガイドロッド
１９        ホース
２０        取手
２１        サポート板
２２        駆動装置取付フレーム
２３        流量調整バルブ
２４        鋼管杭
【図１】
2013158833.tif 000003
【図２】
2013158833.tif 000004
【図３】
2013158833.tif 000005
【図４】
2013158833.tif 000006
【図５】
2013158833.tif 000007
【図６】
2013158833.tif 000008